(57)【特許請求の範囲】
【請求項１】
パンティ部、レッグ部、フート部からなり、前記フート部が高伸縮性並びに嵩高性の第１の糸条を用いた平編みループによって編成されているタイツにおいて、
前記フート部先端のトウ部が、
高伸縮性並びに嵩高性の第２の糸条を用いた平編みループによる編みコースと、
前記第２の糸条を表側とし、前記第２の糸条とは異なる低伸縮性の第３の糸条を裏側とした添え糸編み方式で給糸してタック編みループによる編みコースと、
を交互に繰り返して編成した編み組織で形成してあることを特徴とするタイツ。
【請求項２】
前記第２の糸条は、ポリウレタン弾性糸を芯糸とし、ナイロン糸をカバリング糸とするシングルカバリング糸とされ、
前記第３の糸条は、ナイロン糸とされていることを特徴とする請求項１に記載のタイツ。
【請求項３】
前記第２の糸条は、ポリウレタン弾性糸を芯糸とし、ナイロン糸をカバリング糸とするシングルカバリング糸とされ、
前記第３の糸条は、綿糸とされていることを特徴とする請求項１に記載のタイツ。
【発明の詳細な説明】
【技術分野】
【０００１】
本発明は、タイツのトウ部（爪先部）の改良に関するものである。
【背景技術】
【０００２】
一般に、タイツは、ストッキングよりも太い糸が使用されて編成されているため、耐寒性が高いとされている。
しかし、従来のタイツは、トウ部に関しては、特別な配慮がされていなかった（例えば、特許文献１参照）。
【先行技術文献】
【特許文献】
【０００３】
【特許文献１】特開２００４−３４６４３４号公報
【発明の概要】
【発明が解決しようとする課題】
【０００４】
前記特許文献１のものは、トウ部をフート部から同じ編み組織や糸使いにより編成しており、これであると、タイツの着用時、トウ部が他のフート部よりも足指の爪先によって引き伸ばされて薄く見え、着用者の爪先部が透視されて外観イメージを低下させるため、イメージアップを図ることがユーザーから求められている。また、トウ部が薄く見えるために、暖かさに欠けるという指摘もあった。
【０００５】
これらの要望に対して、従来の常識では、トウ部の糸密度を大にしたり、太い糸を使用したり、生地の厚みを厚くするという対策が想定されるが、これらの対策では、トウ部の他のフート部に対する外面からの外観差が大となって目立つという問題点があった。
本発明は、従来のタイツの上記問題点に鑑みて開発されたもので、その目的とするところは、トウ部とフート部との外面からの外観差をなくしつつトウ部が薄く見えないようにして着用者の爪先部の透視を防止し、しかも、保温性をアップし、吸湿性を付与可能としたタイツを提供することにある。
【課題を解決するための手段】
【０００６】
前記目的を達成するために本発明は、パンティ部、レッグ部、フート部からなり、前記フート部が高伸縮性並びに嵩高性の第１の糸条を用いた平編みループによって編成されているタイツにおいて、前記フート部先端のトウ部が、高伸縮性並びに嵩高性の第２の糸条を用いた平編みループによる編みコースと、前記第２の糸条と前記第２の糸条とは異なる低伸縮性の第３の糸条とを前者を表側、後者を裏側として添え糸編み方式で給糸してタック編みループによる編みコースとを交互に繰り返して編成した編み組織で形成してあることを特徴としている。
【０００７】
この構成によれば、トウ部が第２の糸条（表糸）と第３の糸条（裏糸）との添え糸編み方式の給糸でタック編みされていることによって、トウ部の外面側には、第２の糸条のみを表出させ、内面側には、低伸縮性の第３の糸条をパイル調に表出させることができる。上記第２の糸条は、フート部の第１の糸条と同様な高伸縮性並びに嵩高性の糸条とされているため、同じ色に染色することができ、この第２の糸条がトウ部の外面側に表出させてあることによって、トウ部と他のフート部との外面からの外観差をなくすことができる。そして、トウ部には、第２の糸条と第３の糸条とが添え糸編み方式で給糸してあることによって、トウ部の糸密度が大となるため、トウ部が薄く見えないようにすることができ、着用者の爪先部の透視を防止することができる。さらに、トウ部の内面側には、低伸縮性の第３の糸条をパイル調に表出させることができるため、保温性をアップすることができる。
【０００８】
前記トウ部の高伸縮性並びに嵩高性の第２の糸条は、ポリウレタン弾性糸を芯糸とし、ナイロン糸をカバリング糸とするシングルカバリング糸とされ、また、低伸縮性の第３の糸条は、ナイロン糸又は綿糸とされている。第３の糸条をナイロン糸とした場合では、保温性と強度をアップすることができ、また、第３の糸条を綿糸とした場合では、保温性及び吸湿性を良好にして、汗ばみを防止させることができる。
【発明の効果】
【０００９】
本発明によれば、トウ部とフート部との外面からの外観差をなくしつつトウ部が薄く見えないようにして着用者の爪先部の透視を防止し、しかも、保温性をアップし、吸湿性を付与可能としたタイツを提供することができる。
【図面の簡単な説明】
【００１０】
【図１】本発明にかかるタイツの全体の概略正面図である。
【図２】本発明にかかるタイツのフート部の編み組織の拡大図である。
【図３】本発明にかかるタイツのトウ部の編み組織の拡大図である。
【発明を実施するための形態】
【００１１】
以下、本発明に係るタイツの実施の形態を図面を参照して説明する。
本発明に係るタイツＡは、図１に示すように、パンティ部１と、レッグ部２と、フート部３とからなり、フート部３の先端にトウ部４が形成されている。
本発明に係るタイツＡのパンティ部１及びレッグ部２の構成は、従来と同様である。そして、フート部３の構成は、図２に示すように、高伸縮性並びに嵩高性の第１の糸条５を用いた平編みループ６によって編成されている。高伸縮性並びに嵩高性の第１の糸条５は、ポリウレタン弾性糸（例えば、２８ＤＴＥＸ）を芯糸とし、ナイロン糸（例えば、４９ＤＴＥＸ〜１２２ＤＴＥＸ）をカバリング糸とするシングルカバリング糸（ＳＣＹ）が使用されている。
【００１２】
上記フート部３の先端のトウ部４は、従来では、約２ｃｍ程度の長さであったものを、本発明においては、約５ｃｍ程度と長く形成している。このトウ部４は、図３に示すように、高伸縮性並びに嵩高性の第２の糸条７を用いた平編みループ８による編みコースと、前記第２の糸条７と前記第２の糸条７とは異なる低伸縮性の第３の糸条９とを前者を表側、後者を裏側として添え糸編み方式で給糸してタック編みループ１０による編みコースとを交互に繰り返して編成した編み組織１１で形成してある。
【００１３】
上記図３の編み組織１１は、給糸口が４口の靴下編み機を使用し、その第１の給糸口と第３の給糸口とに第２の糸条７をそれぞれ給糸して平編みループ８による編みコースａ、ｃと、第２の給糸口と第４の給糸口とに第２の糸条７と第３の糸条９とを前者を表側、後者を裏側として添え糸編み方式で給糸して１×３交互タック編みループ１０による編みコースｂ、ｄとを交互に繰り返して編成させたものである。
【００１４】
高伸縮性並びに嵩高性の第２の糸条は、ポリウレタン弾性糸を芯糸とし、ナイロン糸をカバリング糸とするシングルカバリング糸（ＳＣＹ）とされ、また、低伸縮性の第３の糸条は、ナイロン糸又は綿糸とされている。
上記第２の糸条７の繊度は、第１の糸条５と同一繊度又は繊度ダウンしたものが使用されている。第３の糸条９として、ナイロン糸（例えば、高吸放湿性ナイロン、７８ＤＴＥＸ）が使用される場合は、後染めとされ、綿糸が使用される場合は、先染めとされる。
【００１５】
本発明に係るタイツＡの実施形態は、以上の構成からなり、次のような作用効果が期待できる。
即ち、本発明のタイツＡのトウ部４は、第２の糸条７と第３の糸条９との添え糸編み方式の給糸でタック編みされていることによって、トウ部４の外面側には、第２の糸条７のみを表出させ、内面側には、低伸縮性の第３の糸条９をパイル調に表出させることができる。この第２の糸条７は、フート部の第１の糸条５と同様な高伸縮性並びに嵩高性の糸条（ＳＣＹ）とされているため、同じ色に染色することができ、この第２の糸条７がトウ部４の外面側に表出させてあることによって、トウ部４と他のフート部３との外面からの外観差をなくすことができる。
【００１６】
そして、トウ部４には、第２の糸条７と第３の糸条９とが添え糸編み方式で給糸してあることによって、トウ部４の糸密度が大となるため、トウ部４が薄く見えないようにすることができ、着用者の爪先部の透視を防止することができる。
さらに、トウ部４の内面側には、低伸縮性の第３の糸条９をパイル調に表出させることができるため、保温性をアップすることができる。
【００１７】
特に、第３の糸条９をナイロン糸とした場合では、保温性と強度をアップすることがで
き、また、第３の糸条９を綿糸とした場合では、保温性及び吸湿性を良好にして、汗ばみを防止させることができる。
本発明の実施形態は、以上からなるが、本発明は、この実施形態にのみ制約されるものではなく、特許請求の範囲に記載の範囲内において、自由に変更して実施することができる。
【産業上の利用可能性】
【００１８】
本発明は、タイツに適用できるが、パンティストッキングや靴下全般に適用可能である。
【符号の説明】
【００１９】
Ａ    タイツ
１    パンティ部
２    レッグ部
３    フート部
４    トウ部
５    第１の糸条
６    平編みループ
７    第２の糸条
８    平編みループ
９    第３の糸条
１０    タック編みループ
１１    編み組織
【図１】
0005718682.tif 000002
【図２】
0005718682.tif 000003
【図３】
0005718682.tif 000004